(57)【要約】【課題】蓋体の亀裂等の防止効果を維持しつつ、蓋体を適切に装着できる食品容器を提供する。【解決手段】食品容器１の蓋体２は、四角枠状の蓋体側側面部２２を備え、食品容器１の容器本体３は、フランジ３４部に立設された四角枠状の第１立壁部３５と、第１立壁部３５の外側でフランジ部３４に立設された第２立壁部３６とを備え、蓋体側側面部２２および第１立壁部３５は、角部２４Ａ、３５Ａと、一対の第１辺部２４Ｂ、３５Ｂと、一対の第２辺部２４Ｃ、３５Ｃとを備え、蓋体側側面部２２の第１辺部２４Ｂは、切取可能な切り口片２６を備え、第２立壁部３６は、切り口片２６と対向する位置に設けられ、蓋体側側面部２２および第１立壁部３５の少なくとも一方は、当該一方における角部３５Ａまたは第２辺部３５Ｃから蓋体側側面部２２および第１立壁部３５の他方に向かって突設され、蓋体側側面部２２の第２辺部２４Ｃを外方に変形可能な突部３５Ｅを備える。【選択図】図１
2020083401.tif 000002
【特許請求の範囲】
【請求項１】
収容凹部を有する容器本体と、
前記容器本体に着脱可能とされ、前記収容凹部を開閉する蓋体とを備え、
前記蓋体は、
天面部と、
前記天面部の外周縁から立ち下がるとともに周方向に連続する四角枠状の蓋体側側面部とを備え、
前記容器本体は、
前記収容凹部の開口縁から外方に延出するとともに周方向に連続するフランジ部と、
前記フランジ部に立設されるとともに周方向に連続する四角枠状の第１立壁部と、
前記第１立壁部よりも外側で前記フランジ部に立設された第２立壁部とを備え、
前記蓋体側側面部および前記第１立壁部は、四隅の角部と、前記収容凹部の開口を挟んで対向する一対の第１辺部と、前記開口を挟んで対向し、前記角部で前記第１辺部に接続する一対の第２辺部とを備え、
前記蓋体側側面部の第１辺部は、切取可能な切り口片を備え、
前記第２立壁部は、前記切り口片と対向する位置に設けられ、
前記蓋体側側面部および前記第１立壁部の少なくとも一方は、当該一方における角部または第２辺部から前記蓋体側側面部および前記第１立壁部の他方に向かって突設され、前記蓋体側側面部の第２辺部を外方に変形可能な突部を備えていることを特徴とする食品容器。
【請求項２】
前記突部は、前記容器本体の第１立壁部に設けられていることを特徴とする請求項１に記載の食品容器。
【請求項３】
前記蓋体は、前記蓋体側側面部から内方に突出するとともに周方向に延在する蓋体側係合部を備え、
前記容器本体は、前記第１立壁部から外方に突出するとともに周方向に延在し、前記蓋体側係合部と係脱する本体側係合部を備え、
前記突部は、前記本体側係合部から前記フランジ部に向って延在することを特徴とする請求項２に記載の食品容器。
【請求項４】
前記突部は、前記第１立壁部の上端縁から前記フランジ部側に離間した位置に設けられていることを特徴とする請求項２に記載の食品容器。
【請求項５】
前記突部は、前記フランジ部に向うにしたがって前記第１立壁部からの突出量が大きくなることを特徴とする請求項３または請求項４に記載の食品容器。
【発明の詳細な説明】
【技術分野】
【０００１】
本発明は、食品容器に関する。
【背景技術】
【０００２】
従来、バターやマーガリン、ジャム、ヨーグルト等の食品を収容する平面視略四角形状の樹脂製の食品容器が知られている。この食品容器は、上方に開口した収容凹部を有する容器本体と、収容凹部を開閉するために容器本体に着脱可能とされた蓋体とで構成される。このような食品容器として、蓋体の側面部の一部が切取可能な切り口片とされたものが知られている（例えば、特許文献１参照）。
【０００３】
特許文献１に記載された食品容器の容器本体は、収容凹部の開口縁から外方に延出するフランジ部に立設されて周方向に連続する第１立壁部と、第１立壁部よりも外側でフランジ部に立設され、切り口片と対向する位置に設けられた第２立壁部とを備えている。このような構成によれば、容器本体に蓋体を装着した状態で蓋体に外力が加えられた場合、蓋体の切り口片領域が外方に突き出るように広がることを第２立壁部によって制限できるので、蓋体の切り口片領域が外方に広がって亀裂が入ったり、破断したりすることを防止できる。
【先行技術文献】
【特許文献】
【０００４】
【特許文献１】特開２０１６−２０４００３号公報
【発明の概要】
【発明が解決しようとする課題】
【０００５】
しかしながら、特許文献１に記載されたような従来の食品容器は、容器の寸法誤差や温度変化による寸法変化が大きいと、蓋体の側面部と容器本体の第２立壁部とが干渉してしまい、蓋体を容器本体に適切に装着できないおそれがある。一方、蓋体の側面部と容器本体の第２立壁部とを干渉させないように、第２立壁部を蓋体の側面部からより離れた位置に設けると、蓋体の切り口片領域が外方に広がることを第２立壁部によって制限しにくくなり、蓋体の亀裂や破断を防止する効果が低下してしまう。
【０００６】
本発明の目的は、蓋体の亀裂や破断を防止する効果を維持しつつ、蓋体を容器本体に適切に装着できる食品容器を提供することにある。
【課題を解決するための手段】
【０００７】
本発明の食品容器は、収容凹部を有する容器本体と、前記容器本体に着脱可能とされ、前記収容凹部を開閉する蓋体とを備え、前記蓋体は、天面部と、前記天面部の外周縁から立ち下がるとともに周方向に連続する四角枠状の蓋体側側面部とを備え、前記容器本体は、前記収容凹部の開口縁から外方に延出するとともに周方向に連続するフランジ部と、前記フランジ部に立設されるとともに周方向に連続する四角枠状の第１立壁部と、前記第１立壁部よりも外側で前記フランジ部に立設された第２立壁部とを備え、前記蓋体側側面部および前記第１立壁部は、四隅の角部と、前記収容凹部の開口を挟んで対向する一対の第１辺部と、前記開口を挟んで対向し、前記角部で前記第１辺部に接続する一対の第２辺部とを備え、前記蓋体側側面部の第１辺部は、切取可能な切り口片を備え、前記第２立壁部は、前記切り口片と対向する位置に設けられ、前記蓋体側側面部および前記第１立壁部の少なくとも一方は、当該一方における角部または第２辺部から前記蓋体側側面部および前記第１立壁部の他方に向かって突設され、前記蓋体側側面部の第２辺部を外方に変形可能な突部を備えていることを特徴とする。
【０００８】
本発明によれば、蓋体第１辺部が切り口片を備え、第２立壁部が切り口片と対向する位置に設けられている。また、蓋体側側面部および第１立壁部の少なくとも一方は、当該一方における角部または第２辺部に突設され、蓋体側側面部の第２辺部を外方に変形可能な突部を備えている。この場合、容器本体に蓋体を装着する際に、蓋体側側面部の第２辺部が突部によって外方に広げられるため、蓋体の第１辺部が内側に向かってゆがみ、当該第１辺部と容器本体の第２立壁部との間隔が広くなる。このため、蓋体の第１辺部と容器本体の第２立壁部とが干渉することを防止できるので、蓋体の亀裂や破断を防止する効果を維持しつつ、蓋体を容器本体に適切に装着することができる。
【０００９】
本発明の食品容器において、前記突部は、前記容器本体の第１立壁部に設けられていることが好ましい。
【００１０】
本発明によれば、突部が容器本体に設けられているため、蓋体を容器本体に装着する際に、先ず蓋体の下端縁が突部に当接し、当該下端縁から蓋体の第２辺部が外方に広がっていく。このため、蓋体の第２辺部を効率よく広げることができ、蓋体の第１辺部と容器本体の第２立壁部とが干渉することを確実に防止できる。
【００１１】
本発明の食品容器において、前記蓋体は、前記蓋体側側面部から内方に突出するとともに周方向に延在する蓋体側係合部を備え、前記容器本体は、前記第１立壁部から外方に突出するとともに周方向に延在し、前記蓋体側係合部と係脱する本体側係合部を備え、前記突部は、前記本体側係合部から前記フランジ部に向って延在することが好ましい。
【００１２】
本発明によれば、突部が本体側係合部からフランジ部に向って延在するため、容器本体に蓋体を装着する際に、蓋体側係合部が本体側係合部を起点として突部に乗り上げ、蓋体側側面部の第２辺部が突部によって外方に広げられる。このため、蓋体側係合部を本体側係合部に係合させる動作を利用して、蓋体の第２辺部を外方に広げることができるので、蓋体の装着を違和感なく行うことができる。
【００１３】
本発明の食品容器において、前記突部は、前記第１立壁部の上端縁から前記フランジ部側に離間した位置に設けられていることが好ましい。
【００１４】
本発明によれば、突部が第１立壁部の上端縁からフランジ部側に離間した位置に設けられているため、蓋体と容器本体との初期嵌め合せの際に、第１立壁部の上端縁を蓋体の側面部と干渉しないように側面部内に入り込ませることができる。このため、蓋体と容器本体との初期嵌め合せを容易に行うことができる。
【００１５】
本発明の食品容器において、前記突部は、前記フランジ部に向うにしたがって前記第１立壁部からの突出量が大きくなることが好ましい。
【００１６】
本発明によれば、フランジ部に向うにしたがって第１立壁部からの突部の突出量が大きくなるため、蓋体の下端縁が容器本体のフランジ部に近付くにつれて、蓋体の第２辺部を次第に広げることができ、蓋体の装着をスムーズに行うことができる。
【図面の簡単な説明】
【００１７】
【図１】本発明の一実施形態に係る食品容器の分解斜視図。
【図２】食品容器の容器本体の側面図。
【図３】食品容器の容器本体の拡大平面図。
【図４】食品容器の拡大断面図。
【図５】食品容器の容器本体と蓋体との係合部分を示す拡大断面図。
【図６】本発明の変形例に係る食品容器の分解斜視図。
【図７】本発明の変形例に係る食品容器の分解斜視図。
【発明を実施するための形態】
【００１８】
以下、本発明の一実施形態について図面に基づき説明する。
なお、以下の記載において方向を表す場合、図１に示すように、容器本体３を下にして食品容器１を置いた状態を基準とする。
【００１９】
図１において、食品容器１は、例えばバターやマーガリンなどの食品を収容するものであり、樹脂の射出成型品である。食品容器１は、蓋体２と、収容凹部３１を有する容器本体３とを備えている。容器本体３及び蓋体２の材質としては、例えば、ポリプロピレン（ＰＰ）が好適であるが、この他にも、ポリエチレン（ＰＥ）、ポリスチレン（ＰＳ）等、この種の食品容器１に用いられる各種の樹脂を用いることができる。なお、食品容器１にバターやマーガリンを収容する場合、容器本体３としては、収容凹部３１の容量が概ね１５０ｍｌから６００ｍｌの範囲内のものが用いられる。
【００２０】
［蓋体］
蓋体２は、容器本体３に着脱可能とされ、収容凹部３１を開閉する。蓋体２は、天面部２１と、天面部２１の外周縁から立ち下がるとともに周方向に連続する略四角枠状の蓋体側側面部２２（以下、単に側面部２２という）とを備えている。
【００２１】
側面部２２は、第１鍔部２３、垂下側壁２４、第２鍔部２５、および切り口片２６を備えている。
【００２２】
第１鍔部２３は、天面部２１の下端縁に周方向に連続して設けられ、当該下端縁から外側に向けて水平に僅かに延出している。
【００２３】
垂下側壁２４は、第１鍔部２３の先端縁から垂下された略四角枠状に形成されている。本実施形態の場合、垂下側壁２４は、平面視にて略長方形枠状とされている。すなわち、垂下側壁２４は、対向する２辺が平行な直線をなす長方形状ではなく、対向する２辺の中央部が外方に膨らんだ曲線をなす長方形状となっている。垂下側壁２４は、蓋体側角部２４Ａ、一対の第１辺部としての蓋体側短辺部２４Ｂ、一対の第２辺部としての蓋体側長辺部２４Ｃ、および蓋体側係合部２４Ｄを備えている。
【００２４】
蓋体側角部２４Ａは、垂下側壁２４の四隅に設けられ、平面視にて円弧状とされている。
蓋体側短辺部２４Ｂは、収容凹部３１の開口３１Ａを挟んで互いに対向する。
蓋体側長辺部２４Ｃは、開口３１Ａを挟んで蓋体側短辺部２４Ｂに対して略直角をなして互いに対向し、蓋体側角部２４Ａで蓋体側短辺部２４Ｂに接続されている。
蓋体側係合部２４Ｄは、側面部２２の下端縁から天面部２１側に離間した位置に設けられている。蓋体側係合部２４Ｄは、蓋体側角部２４Ａから内方に突出するとともに周方向に延在する。
【００２５】
第２鍔部２５は、垂下側壁２４の下端縁に周方向に連続して設けられ、当該下端縁から外側に向けて水平に僅かに延出している。第２鍔部２５の１つの角部は、把持部２５Ａとされ、第２鍔部２５の他の角部よりも垂下側壁２４からの延出量が大きくなっている。
【００２６】
切り口片２６は、蓋体側短辺部２４Ｂの一部が切取可能にされたものである。本実施形態の場合、切り口片２６は、バターナイフ等のナイフの柄の部分が突出可能なナイフ口を形成する。切り口片２６は、垂下側壁２４に設けられた薄肉溝２６Ａと、第２鍔部２５に設けられ、薄肉溝２６Ａの下端に接続された切欠き２６Ｂとで囲まれた領域として区画される。
【００２７】
［容器本体］
図１から図４において、容器本体３は、底面部３２、本体側側面部３３（以下、単に側面部３３という）、フランジ部３４、第１立壁部３５、第２立壁部３６、および立下部３７（図４参照）を備えている。
【００２８】
側面部３３は、底面部３２の周縁から立設され、底面部３２とともに収容凹部３１を構成する。
【００２９】
フランジ部３４は、収容凹部３１の開口縁から外方に延出するとともに、収容凹部３１の開口３１Ａを囲うように開口３１Ａの周方向に連続する。フランジ部３４は、第１立壁部３５の後述する本体側角部３５Ａおよび本体側短辺部３５Ｂにかけては大きく延出し、本体側長辺部３５Ｃに対応した位置では小さく延出している。フランジ部３４における第１立壁部３５の外側の領域は、蓋体２を支持する部位であり、蓋体２の第２鍔部２５が当接する。
【００３０】
第１立壁部３５は、フランジ部３４に立設されるとともに周方向に連続する略四角枠状に形成されている。本実施形態の場合、第１立壁部３５は、平面視にて略長方形枠状とされている。すなわち、第１立壁部３５は、対向する２辺が平行な直線をなす長方形状ではなく、対向する２辺の中央部が外方に膨らんだ曲線をなす長方形状となっている。第１立壁部３５は、本体側角部３５Ａ、一対の第１辺部としての本体側短辺部３５Ｂ、一対の第２辺部としての本体側長辺部３５Ｃ、本体側係合部３５Ｄ、および突部３５Ｅを備えている。
【００３１】
本体側角部３５Ａは、第１立壁部３５の四隅に設けられ、平面視にて円弧状に形成されている。
本体側短辺部３５Ｂは、開口３１Ａを挟んで互いに対向している。本体側短辺部３５Ｂの中央部には、ナイフの柄の部分を受容するための切欠部３５Ｆが形成されている。
本体側長辺部３５Ｃは、開口３１Ａを挟んで本体側短辺部３５Ｂに対して略直角をなして互いに対向し、本体側角部３５Ａで本体側短辺部３５Ｂに接続されている。
本体側係合部３５Ｄは、第１立壁部３５の上端縁からフランジ部３４側に離間した位置に設けられ、蓋体側係合部２４Ｄと係脱する。本体側係合部３５Ｄは、本体側角部３５Ａから外方に突出するとともに周方向に延在する。
【００３２】
突部３５Ｅは、本体側角部３５Ａから蓋体側角部２４Ａに向かって突設され、蓋体側長辺部２４Ｃを外方に変形可能とされている。突部３５Ｅは、本体側係合部３５Ｄよりも下方に設けられ、本体側係合部３５Ｄからフランジ部３４に向って延在する。突部３５Ｅは、図３に示すように、本体側角部３５Ａを形成する円弧中心ＣＲから、一対の本体側長辺部３５Ｃの対向方向と平行で、本体側長辺部３５Ｃに向けて延ばした仮想直線Ｌ１に対して角度αをなす仮想直線Ｌ２よりも、本体側長辺部３５Ｃ側に位置している。角度αは、４５°以下であることが好ましい。突部３５Ｅの突出量は、その長さ方向にわたって均一とされ、本体側係合部３５Ｄと同じ突出量とされている。突部３５Ｅの長さは、蓋体２を装着する際に、蓋体２の下端部が第１立壁部３５と第２立壁部３６との間の空間に入り込むまで、蓋体側係合部２４Ｄと係合し続けるように設定されている。
【００３３】
第２立壁部３６は、第１立壁部３５よりも外側でフランジ部３４に立設され、容器本体３に蓋体２を装着した際に、切り口片２６と対向する位置に設けられている。本実施形態の場合、第２立壁部３６は、フランジ部３４の短辺部の外周縁に沿って延在するとともに、側面視にて台形状とされている。
第２立壁部３６の高さＨ（図４参照）は、０．４ｍｍから１．６ｍｍの範囲内が好ましい。本実施例では、高さＨが０．６５ｍｍに設定されている。高さＨが０．４ｍｍ以上であれば、蓋体２の側面部２２と第２立壁部３６との係合状態を確保することができ、外力によって側面部２２の蓋体側短辺部２４Ｂが外方に突き出るのを抑制または防止することができる。また、高さＨが１．６ｍｍ以下であれば、第２立壁部３６の内側にゴミが溜まるのを防いだり、容器本体３の成形時に空気が第２立壁部３６に残留することを防止し、生産性の悪化を防いだりすることができる。
第２立壁部３６は、蓋体２が装着された際に、蓋体２の側面部２２との間に隙間Ｄ（図４参照）が生じる位置に設けられている。隙間Ｄは、０．２ｍｍから０．６ｍｍの範囲内が好ましい。隙間Ｄが０．２ｍｍ以上であれば、蓋体側係合部２４Ｄが本体側係合部３５Ｄを乗り越えて互いに係合し、容器本体３に対する蓋体２のロック状態を確保することができる。また、隙間Ｄが０．６ｍｍ以下であれば、前述の高さＨが０．４ｍｍから１．６ｍｍの範囲内であっても、外力によって蓋体２の蓋体側短辺部２４Ｂが外方に突き出るのを十分に抑制または防止することができ、かつフランジ部３４の張り出し量を抑えることができる。
【００３４】
立下部３７は、フランジ部３４の先端縁から立ち下がるとともに周方向に連続して設けられている。
【００３５】
［蓋体の装着］
容器本体３に蓋体２を装着する場合、容器本体３の第１立壁部３５を覆うように蓋体２を容器本体３に近付ける。この際、本体側係合部３５Ｄおよび突部３５Ｅが第１立壁部３５の上端縁からフランジ部３４側に離間した位置に設けられているため、第１立壁部３５の上端縁を蓋体２の側面部２２と干渉しないように側面部２２内に入り込ませることができ、蓋体２と容器本体３との初期嵌め合せを容易に行うことができる。
【００３６】
その後、蓋体２をさらに容器本体３側に移動させると、蓋体側係合部２４Ｄが本体側係合部３５Ｄを起点として突部３５Ｅに乗り上げる。これにより、図５に示すように、突部３５Ｅが蓋体側長辺部２４Ｃを外方に押し出し、図１に二点鎖線で示すように、蓋体側長辺部２４Ｃを外方に広げる。そうすると、図１に二点鎖線で示すように、蓋体側短辺部２４Ｂが内側に向かってゆがむので、蓋体側短辺部２４Ｂの下端と容器本体３の第２立壁部３６とが干渉することを防止でき、容器本体３に蓋体２を適切に装着することができる。なお、図５中の二点鎖線は、突部３５Ｅが存在しない場合の蓋体２の側面部２２の状態を示している。
【００３７】
蓋体２が容器本体３に適切に装着された場合、蓋体２の蓋体側短辺部２４Ｂが容器本体３の第１立壁部３５と第２立壁部３６との間に位置する。このため、蓋体２に外力が加えられても、蓋体２の蓋体側短辺部２４Ｂが外方に広がることを第２立壁部３６によって制限できるので、蓋体２の蓋体側短辺部２４Ｂが外方に広がって切り口片２６の周囲に亀裂が入ったり、破断したりすることを防止できる。
【００３８】
［実施形態の効果］
本実施形態によれば、容器本体３に蓋体２を装着する際に、蓋体２の蓋体側長辺部２４Ｃが突部３５Ｅによって外方に広げられるため、蓋体２の蓋体側短辺部２４Ｂが内側に向かってゆがみ、当該蓋体側短辺部２４Ｂと容器本体３の第２立壁部３６との間隔が広くなる。このため、蓋体２の蓋体側短辺部２４Ｂと容器本体３の第２立壁部３６とが干渉することを防止できるので、蓋体２の亀裂や破断を防止する効果を維持しつつ、蓋体２を容器本体３に適切に装着することができる。
【００３９】
また、突部３５Ｅが容器本体３に設けられているため、蓋体２を容器本体３に装着する際に、先ず蓋体２の下端縁が突部３５Ｅに当接し、当該下端縁から蓋体２の蓋体側長辺部２４Ｃが外方に広がっていく。このため、蓋体２の蓋体側長辺部２４Ｃを効率よく広げることができ、蓋体２の蓋体側短辺部２４Ｂと容器本体３の第２立壁部３６とが干渉することを確実に防止できる。
【００４０】
また、突部３５Ｅが本体側係合部３５Ｄからフランジ部３４に向って延在するため、容器本体３に蓋体２を装着する際に、蓋体側係合部２４Ｄが本体側係合部３５Ｄを起点として突部３５Ｅに乗り上げ、蓋体２の蓋体側長辺部２４Ｃが突部３５Ｅによって外方に広げられる。このため、蓋体側係合部２４Ｄを本体側係合部３５Ｄに係合させる動作を利用して、蓋体２の蓋体側長辺部２４Ｃを外方に広げることができるので、蓋体２の装着を違和感なく行うことができる。
【００４１】
また、突部３５Ｅが第１立壁部３５の上端縁からフランジ部３４側に離間した位置に設けられているため、蓋体２と容器本体３との初期嵌め合せの際に、第１立壁部３５の上端縁を蓋体２の側面部２２と干渉しないように側面部２２内に入り込ませることがでる。このため、蓋体２と容器本体３との初期嵌め合せを容易に行うことができる。
【００４２】
また、フランジ部３４に向うにしたがって第１立壁部３５からの突部３５Ｅの突出量が大きくなるため、蓋体２の下端縁が容器本体３のフランジ部３４に近付くにつれて、蓋体２の蓋体側長辺部２４Ｃを次第に広げることができ、蓋体２の装着をスムーズに行うことができる。
【００４３】
［変形例］
本発明は、前記実施形態に限定されるものではなく、本発明の目的を達成できる範囲での変更等は、本発明に含まれる。
例えば、突部３５Ｅに代えてまたは併用して、図６に示すように、容器本体３の第１立壁部３５の本体側長辺部３５Ｃに突部３５Ｇを設けてもよい。突部３５Ｇは、第１立壁部３５の上端縁からフランジ部３４側に離間した位置に設けられ、フランジ部３４に向うにしたがって第１立壁部３５からの突出量が大きくなっている。
また、突部３５Ｅに代えてまたは併用して、図７に示すように、蓋体２の側面部２２の蓋体側長辺部２４Ｃに突部２４Ｅを設けてもよい。突部２４Ｅは、蓋体２の側面部２２の下端縁から天面部２１に向うにしたがって、側面部２２からの突出量が大きくなっている。
【００４４】
突部２４Ｅは、蓋体側角部２４Ａに設けられてもよく、この場合、本体側長辺部３５Ｃに向かって突出してもよい。
突部２４Ｅ、３５Ｇの突出量は、その長さ方向にわたって均一であってもよい。
突部３５Ｅは、本体側係合部３５Ｄからフランジ部３４に向うにしたがって、第１立壁部３５からの突出量が大きくなってもよいし、本体側角部３５Ａにおいて本体側係合部３５Ｄよりも本体側長辺部３５Ｃ側の位置に設けられてもよい。また、突部３５Ｅは、蓋体側長辺部２４Ｃに向かって突出していてもよい。
突部２４Ｅ、３５Ｅ、３５Ｇは、必ずしも延在していなくてもよく、少なくとも蓋体２の下端部が第１立壁部３５と第２立壁部３６との間の空間に入り込む際に、蓋体側短辺部２４Ｂを内側に向かってゆがませることができればよい。
【００４５】
蓋体２の垂下側壁２４および容器本体３の第１立壁部３５は、平面視で正方形枠状であってもよい。
蓋体２の切り口片２６が蓋体側長辺部２４Ｃに設けられ、容器本体３の第２立壁部３６が本体側長辺部３５Ｃに設けられてもよい。この場合、蓋体側長辺部２４Ｃおよび本体側長辺部３５Ｃが第１辺部となり、蓋体側短辺部２４Ｂおよび本体側短辺部３５Ｂが第２辺部となる。
蓋体２の蓋体側係合部２４Ｄが蓋体側短辺部２４Ｂに設けられ、容器本体３の本体側係合部３５Ｄが本体側短辺部３５Ｂに設けられてもよい。
切り口片２６は、ナイフ口以外を形成するものであってもよい。
第２立壁部３６は、側面視にて台形状のものに限られず、例えば、三角形状、矩形状、半円状、半楕円状とされもよい。
【符号の説明】
【００４６】
１…食品容器、２…蓋体、３…容器本体、２１…天面部、２２…蓋体側側面部、２４Ａ…蓋体側角部（角部）、２４Ｂ…蓋体側短辺部（第１辺部）、２４Ｃ…蓋体側長辺部（第２辺部）、２４Ｄ…蓋体側係合部、２６…切り口片、３１…収容凹部、３１Ａ…開口、３２…底面部、３３…本体側側面部、３４…フランジ部、３５…第１立壁部、３５Ａ…本体側角部（角部）、３５Ｂ…本体側短辺部（第１辺部）、３５Ｃ…本体側長辺部（第２辺部）、３５Ｄ…本体側係合部、３５Ｅ…突部、３６…第２立壁部。
【図１】
2020083401.tif 000003
【図２】
2020083401.tif 000004
【図３】
2020083401.tif 000005
【図４】
2020083401.tif 000006
【図５】
2020083401.tif 000007
【図６】
2020083401.tif 000008
【図７】
2020083401.tif 000009